(57)【特許請求の範囲】
【請求項１】
クランプと、
ハウジングとを含み、
前記クランプは、測定端部と、ハンドル部分とを含み、前記測定端部は、第一測定部分と、第二測定部分とを含み、前記ハンドル部分は、第一ハンドル部分と、第二ハンドル部分とを含み、
前記ハウジングは、凹部を含み、該凹部は、前記クランプが使用されないときに、前記クランプを取り外し可能に収容するよう構成され、前記ハウジングは、コードを介して前記クランプに接続され、
前記クランプが前記凹部内に収容されるときに、前記第一測定部分及び前記第二測定部分は、前記凹部内に完全に位置付けられ、前記第一ハンドル及び前記第二ハンドルは、前記凹部から少なくとも部分的に延出し、前記凹部は、前記クランプが使用されることを阻止し、
前記クランプは、片手使用位置において、前記凹部から取り外し可能である、
クランプメータ。
【請求項２】
前記クランプが前記凹部内に収容されるときに前記クランプを使用不能にするためのスイッチを更に含む、請求項１に記載のクランプメータ。
【請求項３】
前記クランプが前記凹部内に収容されるときに、前記スイッチは開放状態にあり、前記クランプが前記凹部から取り外されるときに、前記スイッチは閉塞状態にある、請求項２に記載のクランプメータ。
【請求項４】
前記クランプが前記凹部から取り外されるときに、前記クランプは、前記第一測定部分と前記第二測定部分との間を通る電流を感知するよう動作可能である、請求項１に記載のクランプメータ。
【請求項５】
前記片手使用位置は、前記クランプを前記凹部から取り外した後、使用者が前記第一ハンドル及び前記第二ハンドル上の握りを操作することを要求しない、請求項１に記載のクランプメータ。
【請求項６】
前記コードを当該クランプメータに固定するよう構成されるコード管理システムを更に含む、請求項１に記載のクランプメータ。
【請求項７】
前記コード管理システムは、前記コードを当該クランプメータに固定するためのストラップを含む、請求項６に記載のクランプメータ。
【請求項８】
前記コード管理システムは、コードを収容するための１つ又はそれよりも多くの凹部を含む、請求項６に記載のクランプメータ。
【請求項９】
前記コード管理システムは、前記コードを巻き付け得る突起を含む、請求項６に記載のクランプメータ。
【請求項１０】
ＬＥＤ作業用照明を更に含む、請求項１に記載のクランプメータ。
【請求項１１】
前記クランプが前記凹部内に収容されるとき、前記ＬＥＤ作業用照明は動作可能である、請求項１０に記載のクランプメータ。
【請求項１２】
クランプメータを動作する方法であって、
前記クランプメータは、クランプを含み、該クランプは、測定端部と、ハンドル部分とを含み、前記測定端部は、第一測定部分と、第二測定部分とを含み、前記ハンドル部分は、第一ハンドルと、第二ハンドルとを含み、
当該方法は、
前記クランプが使用されないときに、前記クランプをハウジングの凹部内に取り外し可能に収容し、前記クランプの前記第一測定部分及び前記第二測定部分は、前記凹部内に完全に位置付けられ、前記第一ハンドル及び前記第二ハンドルは、前記凹部から少なくとも部分的に延出し、前記クランプは、コードを介して前記ハウジングに接続され、
前記クランプが前記凹部内に収容されるときに、前記クランプが使用されることを阻止し、前記クランプが前記凹部から取り外されるときに、前記クランプの使用を可能にする、
方法。
【請求項１３】
前記クランプが前記凹部内に収容されるときに前記クランプを使用不能にすることを更に含む、請求項１２に記載の方法。
【請求項１４】
前記クランプは、スイッチによって使用不能にされ、前記クランプが前記凹部内に収容されるときに、前記スイッチは開放状態にあり、前記クランプが前記凹部から取り外されるときに、前記スイッチは閉塞状態にある、請求項１３に記載の方法。
【請求項１５】
前記クランプが前記凹部から取り外されるときに、前記第一測定部分と前記第二測定部分との間を通る電流を感知することを更に含む、請求項１２に記載の方法。
【請求項１６】
前記感知される電流の検出を表示することを更に含む、請求項１５に記載の方法。
【請求項１７】
前記クランプは、片手使用位置において取り外され、前記片手使用位置は、前記クランプを前記凹部から取り外した後、使用者が前記第一ハンドル及び前記第二ハンドル上の握りを操作することを要求しない、請求項１２に記載の方法。
【請求項１８】
前記クランプの前記測定端部は、前記ハンドル部分の前に前記凹部内に収容される、請求項１２に記載の方法。
【請求項１９】
前記コードを前記クランプメータに固定することを更に含む、請求項１２に記載の方法。
【請求項２０】
前記クランプが前記凹部内に収容されるとき、ＬＥＤ作業用照明を選択的に活性化することを更に含む、請求項１２に記載の方法。
【発明の詳細な説明】
【技術分野】
【０００１】
この出願は、先に出願された同時係属中の２０１０年１０月１８日付け米国仮特許出願第６１／３９４，１８５号の利益を主張し、その前文を参照によってここに引用する。
【０００２】
この発明はクランプメータ（架線電流計）に関する。従来的に、クランプメータは主ハウジング内に一体化されたクランプを有する。例えば、レバーを作動することによって、クランプを選択的に開閉し得る。
【背景技術】
【０００３】
そのようなクランプは、電流を測定するためにクランプを使用し得る場所の大きさから数及び多様性によって制約される。例えば、従来的なクランプメータは壁間の空間内に適合せず、１つに束ねられた複数の電線(wire)のうちの１つの線を通じて流れる電流を測定し得ない。
【発明の概要】
【発明が解決しようとする課題】
【０００４】
本発明は、従来技術の上記問題点を解決することを目的とする。
【課題を解決するための手段】
【０００５】
従って、本発明は、とりわけ、ハウジングと、取り外し可能なクランプと、取り外し可能なクランプを収容し(storing)或いは格納する(stowing)ためのハウジング内の収容領域又は凹部とを含むクランプメータを提供する。収容領域は、クランプが使用されないときに、取り外し可能なクランプを収容するよう構成される。
【０００６】
１つの実施態様において、本発明は、クランプと、ハウジングとを含む、クランプメータを提供する。クランプは、測定端部と、ハンドル部分とを含む。測定端部は、第一測定部分と、第二測定部分とを含む。ハンドル部分は、第一ハンドル部分と、第二ハンドル部分とを含む。ハウジングは凹部を含み、凹部は、クランプが使用されないときに、クランプを取り外し可能に収容するよう構成される。ハウジングは、コードを介してクランプに接続される。クランプが凹部内に収容されるときに、第一測定部分及び第二測定部分は凹部内に完全に位置付けられ、第一ハンドル及び第二ハンドルは凹部から少なくとも部分的に延出し、凹部はクランプが使用されることを阻止する。クランプは片手使用位置において凹部から取り外し可能である。
【０００７】
他の実施態様において、本発明は、クランプを含むクランプメータを動作する方法を提供する。クランプは、測定端部と、ハンドル端部とを含む。測定端部は、第一測定部分と、第二測定部分とを含む。ハンドル部分は、第一ハンドルと、第二ハンドルとを含む。当該方法は、クランプが使用されないときに、クランプをハウジングの凹部内に取り外し可能に収容することを含む。クランプの第一測定部分及び第二測定部分は凹部内に完全に位置付けられ、第一ハンドル及び第二ハンドルは凹部から少なくとも部分的に延出する。クランプは、コードを介してハウジングに接続される。当該方法は、クランプが凹部内に収容されるときにクランプが使用されることを阻止し、クランプが凹部から取り外されるときにクランプの使用を可能にすることも含む。
【０００８】
本発明の他の特徴は、詳細な記載及び添付の図面を考察することによって明らかになるであろう。
【図面の簡単な説明】
【０００９】
【図１】本発明の実施態様に従った取り外し可能なクランプ及び収納領域を含むクランプメータを正面から示す斜視図である。
【図２】図１のクランプメータを背面から示す斜視図である。
【図３】図１及び２のクランプメータを示す正面図である。
【図４】図１及び２のクランプメータを示す右側面図である。
【図５】図１及び２のクランプメータを示す背面図である。
【図６】図１及び２のクランプメータを示す頂面図である。
【図７】図１及び２のクランプメータを示す底面図である。
【図８】図１及び２のクランプメータを示す左側面図である。
【図９】本発明のある実施態様に従ったクランプを示す正面図である。
【図１０】図９のクランプを示す右側面図である。
【図１１】図９のクランプを示す背面図である。
【図１２】図９のクランプを示す左側面図である。
【図１３】図９のクランプを示す底面図である。
【図１４】図９のクランプを示す頂面図である。
【図１５】本発明の実施態様に従ったコード管理システムを示す正面図である。
【図１６】本発明の他の実施態様に従ったコード管理システムを示す側面図である。
【図１７】本発明の他の実施態様に従ったコード管理システムを示す背面図である。
【図１８】本発明の実施態様に従ったクランプメータのためのコントローラを示すブロック図である。
【発明を実施するための形態】
【００１０】
本発明の実施態様が詳細に説明される前に、本発明はその用途において以下の記載中に説明され且つ以下の図面中に例示される構成部品の構造及び配置の詳細に限定されないことが理解されるべきである。本発明は他の実施態様であってもよく、本発明を様々な方法で実施又は遂行し得る。
【００１１】
ここに記載される発明は、クランプメータに関し、クランプメータは、ハウジングと、取り外し可能なクランプとを含む。取り外し可能なクランプは、コードを介してハウジングに接続される。クランプは、非使用時に、ハウジングの空洞又は凹部内に収容され或いは格納される。クランプが凹部内に格納されるとき、電線を締付け且つ電流測定値を取るためにクランプを使用し得ないように、凹部はクランプを取り外し可能に収容するよう構成される。クランプは、第一端部又は測定端部と、第二端部又はハンドル端部とを含む。第一端部は、第一測定部分と、第二測定部分とを含む。クランプが凹部から取り外されるとき、クランプは第一測定部分と第二測定部分との間を通る電流を測定し或いは感知するよう動作可能である。第二端部は、使用者がクランプを動作的に把持し且つ開放するための第一ハンドルと第二ハンドルとを含む。凹部は、クランプの第一端部が凹部内に完全に位置付けられ、クランプの第二端部が凹部から少なくとも部分的に突出するような大きさとされる。そのような構造では、使用者がハンドル上の握り(grip)を後で再調節することを要求せずに、片手使用位置においてクランプを凹部から取り外すために、クランプの第一ハンドル及び第二ハンドルを把持し得る。次に、電線の周りを締め付け且つ電線と関連付けられる電流を測定するために、クランプを使用し得る。
【００１２】
本発明の実施態様に従ったクランプメータ１００が、図１乃至８中に例示されている。クランプメータ１００は、上方ハウジング部分又は主ハウジング部分１０５と、下方ハウジング部分又はハンドル部分１１０と、取り外し可能なクランプ１１５と、ディスプレイ１２０と、第一ボタン１２５と、第二ボタン１３０と、第三ボタン１３５と、コードへの第一電気接続部１４０と、コードへの第二接続部１４５と、作業用照明（例えば、ＬＥＤ作業用照明）１５０とを含む。一部の実施態様では、上方ハウジング部分１０５及び下方ハウジング部分１１０を集合的にクランプメータ１００のハウジングと呼ぶ。クランプメータ１００は、凹部又は収容領域１６０（図６を参照）を形成する裏蓋１５５（図２を参照）も含む。凹部１６０は、クランプ１１５を収容するために、クランプメータ１００の上方ハウジング部分１０５からアクセス可能である。第一ボタン１２５は、例えば、ディスプレイ１２０上に電流測定値を維持するための保持ボタンである。第二ボタン１３０は、例えば、表示された測定値をゼロ化する(zeroing)又は消去する(clearing)ためのゼロボタン(zero  button)である。第三ボタン１３５は、例えば、クランプメータ１００がクランプメータ１００内の１つ又はそれよりも多くのバッテリ（図示せず）から電力を引くのを選択的に可能(enable)又は不能(disable)にするよう動作可能な電力ボタンである。作業用照明１５０は、クランプメータ１００の左側にある作業用照明ボタン１６５（図８を参照）を使用して活性化され(activated)或いは非活性化される(deactivated)。作業用照明１５０は、白熱電球、複数の発光ダイオード等を含み得る。１つの実施態様において、作業用照明１５０は、１つ又はそれよりも多くの高輝度ＬＥＤを含み、例えば、２フィートの距離で１００〜２５０ＬＵＸの出力を有する。本発明の一部の実施態様において、作業用照明１５０の出力は、２フィートの距離で２５０ＬＵＸよりも大きい。作業用照明１５０はタイムアウト期間を含み得る。作業用照明のタイムアウト期間は事前プログラム値を有し得るし、或いは、使用者が時間切れ期間を設定し得る。仮に作業用照明タイムアウト期間に達するか或いは経過し、作業用照明１５０のスイッチが切られないならば、クランプメータ１００は、電力を節約するために、作業用照明１５０のスイッチを切り得る。
【００１３】
クランプメータ１００は、クランプ１１５が使用されていないときに、クランプ１１５を凹部１６０内に収容又は格納し得るよう構成される。非使用時にクランプ１１５を凹部１６０内に収容することは、クランプ１１５の測定端部（後述する）がアクセスされることを防止し、クランプ１１５が損傷や環境との接触から守る。また、クランプ１１５を凹部１６０内に収容することは、クランプ１１５のハンドル部分（同様に後述する）を使用して、使用者がクランプをハウジングから取り外すことを可能にする。よって、使用位置においてクランプ１１５をクランプメータ１００から取り外し得る（例えば、使用者は、クランプ１１５をクランプメータ１００から取り外した後、グリップを調節又は操作することを求められない）。
【００１４】
図９乃至１４は、クランプ１１５を例示している。クランプ１１５は、ハンドル端部１７０と、測定端部１７５とを含む。ハンドル端部１７０は、第一ハンドル１８０と、第二ハンドル１８５とを含む。測定端部１７５は、第一測定端部１９０と、第二測定端部１９５とを含む。クランプ１１５の測定端部は、ハンドル端部１７０の前に、凹部１６０内に挿入され且つ収容される。第一測定端部１９０及び第二測定端部１９５が互いに接触するとき、測定凹部２００が形成される。測定凹部２００は、例えば、電線を収容するような大きさに構成される。第一測定端部１９０及び第二測定端部１９５は、通常、第一ハンドル１８０と第二ハンドル１８５との間のバネ（図示せず）によって互いに接触するように付勢される。第一ハンドル１８０及び第二ハンドル１８５に対して加えられる外力が存在しないならば、バネは第一ハンドル１８０及び第二ハンドル１８５を互いに離れさせるよう動作可能である。片手使用位置は、クランプ１１５を凹部１６０から取り外した後、使用者の握りを再調節又は修正させることなく、使用者がバネの付勢力に打ち勝つことを可能にする。例えば、片手使用位置は、第一ハンドル１８０及び第二ハンドル１８５の両方を使用して凹部１６０からクランプ１１５を取り外すことを可能にする。取り外されるや否や、使用者の手は、クランプ１１５を使用し得るような方法で、第一ハンドル１８０及び第二ハンドル１８５のそれぞれの上に既に位置付けられる（例えば、測定凹部２００が電線を収容し得るよう測定凹部２００を開放するよう、ハンドル１８０及び１８５を互いに向かって移動し得る）。一部の実施態様では、片手使用位置は、第一ハンドル１８０及び第二ハンドル１８５の両方の上での使用者の握りを指し、クランプ１１５の使用は、電線を収容するために測定凹部２００を開放するために、第一ハンドル１８０及び第二ハンドル１８５を互いに向かって握り締めることを指す。
【００１５】
一部の実施態様において、クランプメータ１００は、コード管理システム又はクランプメータ１００の上方ハウジングとクランプ１１５との間のコード２０５を配置するよう構成される装置も含む。例えば、図１５において、クランプメータ１００は、第一凹部２１０と、第二凹部２１５とを含む。第一凹部２１０及び第二凹部２１５は、コード２０５を収容し、且つ、凹部２１０及び２１５の内表面とコード２０５との間の摩擦嵌めを介してコード２０５を保持するよう構成される。例示的な実施例として、上方ハウジング部分１０５又はハンドル部分１１０の周りにコード２０５を巻き付け得る。（例えば、凹部１６０内にクランプ１１５を格納する十分なコードが依然として残されるよう）十分な量のコード２０５が巻かれるとき、コード２０５をクランプメータ１００に固定するよう、コード２０５を凹部２１０及び２１５内に挿入し或いは押し込み得る。図１６は、裏蓋１５５に接続される突起２２０を含むコード管理システムを例示している。突起２２０は、突起２２０のより小さい部分又は内側部分の周りにコード２０５を巻き付け得るよう構成される。
【００１６】
図１７は、クランプメータ１００のためのコード管理システムを例示しており、クランプメータ１００は、ストラップ２２５と、第一保持部材２３０と、第二保持部材２３５とを含む。コード２０５をクランプメータ１００に固定するために、ストラップ２２５をクランプメータ１００及びコード２０５の周りに締め付け得る。第一保持部材２３０及び第二保持部材２３５は、例えば、上方ハウジング部分１０５の延長部であり、或いは、ストラップ２２５をクランプメータ１００の周りに締め付けるためにストラップ２２５の反対端部に接続される。上述されたコード管理システムの各々のために、コード管理システムは、クランプメータ１００のハウジングから垂れ下がるコード２０５の量を減少し、取り外し可能なクランプ１１５が使用されている（即ち、ハウジングから取り外されている）とき、又は、格納されているときに、使用者がコード２０５の長さを制御することを可能にする。
【００１７】
図１８は、クランプメータ１００のためのコントローラ３００を例示している。コントローラ３００は、クランプメータ１００の様々なモジュール又は構成部品に電気的及び／又は通信的に接続される。例えば、例示のコントローラ３００は、ユーザーインターフェースモジュール３０５、（図１中にディスプレイ１２０として例示される）ディスプレイ３１０、電源モジュール３１５、及び、クランプ３２０に接続される。コントローラ３００は、とりわけ、クランプ３２０を使用した電流の測定を選択的に可能又は不能にするよう動作可能である、ハードウェア及びソフトウェアの組み合わせを含む。
【００１８】
一部の構造において、コントローラ３００は、コントローラ３００及び／又はクランプメータ１００内の構成部品及びモジュールに電力、動作制御、及び、保護をもたらす複数の電気又は電子構成部品を含む。例えば、コントローラ３００は、とりわけ、処理装置３２５（例えば、マイクロプロセッサ、マイクロコントローラ、又は、他の適切なプログラム可能な装置）と、メモリ３３０と、入力装置３３５と、出力装置３４０とを含む。処理装置３２５は、とりわけ、制御装置３４５と、算術論理演算装置（「ＡＬＵ」）３５０と、複数のレジスタ３５５（図１８には一群のレジスタが示されている）とを含み、修正ハーバードアーキテクチャ、フォン・ノイマンアーキテクチャ等のような、既知のコンピュータアーキテクチャを使用して実施される。処理装置３２５、メモリ３３０、入力装置３３５、及び、出力装置３４０、並びに、コントローラ３００に接続される様々なモジュールは、１つ又はそれよりも多くの制御バス及び／又はデータバス（例えば、共通バス３６０）によって接続される。制御バス及び／又はデータバスは、例示的な目的のために図１８に概略的に示されている。様々なモジュール及び構成部品の間の相互接続及び通信のための１つ又はそれよりも多くの制御バス及び／又はデータバスの使用は、本明細書に記載される発明の観点から当業者に既知である。一部の実施態様において、コントローラ３００は、レジスタトランスファレベル（「ＲＴＬ」）設計プロセスを通じて開発されるチップのように、半導体（例えば、フィールドプログラマブルゲートアレイ［「ＦＰＧＡ」］半導体）チップ上で部分的に或いは全体的に実施される。一部の実施態様において、クランプメータ１００は、その全文を参照として引用する「TEST  AND  MEASUREMENT  DEVICE  WITH  A  PISTOL-GRIP  HANDLE」という名称の国際公開番号第ＷＯ２００９／１２６８２４号に記載されたクランプメータと類似する方法で動作するよう構成される。
【００１９】
メモリ３３０は、例えば、プログラム記憶領域と、データ記憶領域とを含む。プログラム記憶領域及びデータ記憶領域は、読み取り専用メモリ（「ＲＯＭ」）、読み込み書き込みメモリ（「ＲＡＭ」）（例えば、ダイナミックＲＡＭ［「ＤＲＡＭ」］、シンクロナスＤＲＡＭ［「ＳＤＲＡＭ」］等）、電気的に消去可能なプログラマブル読み取り専用メモリ（「ＥＥＰＲＯＭ」）、フラッシュメモリ、ハードディスク、ＳＣカード、又は、他の適切な磁気的、光学的、物理的、若しくは、電子的なメモリデバイスのような、異なる種類のメモリの組み合わせを含み得る。処理装置３２５は、メモリ３３０に接続され、（例えば、実行中の）メモリ３３０のＲＡＭ、（例えば、概ね恒久的な）メモリ３３０のＲＯＭ、又は、他のメモリ又はディスクのような他の非一過性のコンピュータ読み取り可能な媒体内に記憶可能なソフトウェア命令を実行する。クランプメータ１００の実行に含められるソフトウェアをコントローラ３００のメモリ３３０内に記憶し得る。ソフトウェアは、例えば、ファームウェア、１つ又はそれよりも多くのアプリケーション、プルグラムデータ、フィルタ、ルール、１つ又はそれよりも多くのプログラムモジュール、及び、他の実行可能な命令を含む。他の構造において、コントローラ３００は、追加的な、より少ない、或いは、異なる構成部品を含む。
【００２０】
電源モジュール３１５は、公称直流電圧をコントローラ３００又はクランプメータ１００の他の構成部品又はモジュールに供給する。電源モジュール３１５は、例えば、電池又はバッテリパックによって電力供給される。コントローラ３００又はクランプメータ１００内の他の回路及び／又は構成部品を動作するより低い電圧を供給するように電源モジュール３１５を構成してもよい。
【００２１】
ユーザーインターフェースモジュール３０５は、クランプメータ１００のために所望のレベルの制御及び監視を達成するために、デジタル及びアナログの入力装置及び出力装置の組み合わせを含む。ユーザーインターフェースモジュール３０５は、複数のノブ、ダイアル、スイッチ、ボタン等を含み得る。例えば、ユーザーインターフェースモジュール３０５は、第一ボタン１２５と、第二ボタン１３０と、第三ボタン１３５と、作業用照明ボタン１６５とを含む。ディスプレイ３１０は、例えば、液晶ディスプレイ（「ＬＣＤ」）、発光ダイオード（「ＬＥＤ」）ディスプレイ、有機ＬＥＤ（「ＯＬＥＤ」）ディスプレイ、エレクトロルミネセンスディスプレイ（「ＥＬＤ」）、表面電界ディスプレイ（「ＳＥＤ」）、電界放出ディスプレイ（「ＦＥＤ」）、薄膜トランジスタ（「ＴＦＴ」）ＬＣＤ等である。一部の実施態様において、ディスプレイ３１０は、タッチスクリーンディスプレイのような入力装置でもある。ディスプレイは、例えば、第一測定部分１９０と第二測定部分１９５との間で感知される電流の検出(indication)を表示  (display)  するよう動作可能である。
【００２２】
例示される実施態様において、クランプメータ１００は、凹部１６０内に収容されるときにクランプ３２０を使用不能にする（即ち、動作不能にする）よう構成されるスイッチ３６５も含む。スイッチは、例えば、単極単投スイッチ、電磁スイッチ、又は、クランプ３２０を電気的に絶縁するよう構成されるその他の適切なスイッチである。クランプ３２０が凹部１６０内に挿入され且つ格納されるとき、スイッチ３６５は開放状態にある。クランプ３２０が凹部１６０から取り外されるとき、スイッチ３６５は閉塞状態にある。一部の実施態様では、クランプ３２０をコントローラ３００から電気的に切断するために、１つ又はそれよりも多くのソリッドステートスイッチ（例えば、電界トランジスタ［「ＦＥＴ」］、金属酸化半導体ＦＥＴ［「ＭＯＳＦＥＴ」］、バイポーラ接合トランジスタ［「ＢＪＴ」］等）を使用し得る。電磁スイッチを閉じるために、例えば、永久磁石をクランプ３２０内に埋設し得る。その場合、電磁スイッチを閉塞することは、１つ又はそれよりも多くのソリッドステートスイッチを非伝導状態に入らせ、それはクランプ３２０をコントローラ３００の測定部分（例えば、処理装置３２５）から電気的に絶縁する。凹部１６０内にあるときにクランプ３２０を使用不能にすることは、クランプメータ１００に追加的なレベルの安全性をもたらす。よって、凹部１６０内にあるときにクランプ１１５の測定端部１７５がアクセス不能（即ち、使用不能）であるあることに加えて、クランプ１１５は電流を測定することもできない（即ち、非機能的である）。スイッチ３６５を開放することは、電流測定値を取るというクランプ３２０の能力を不能にする。スイッチ３６５が開放されるとき、作業用照明１５０及びディスプレイ３１０のようなクランプメータ１００の他の機能は動作的なままである。クランプ３２０が凹部１６０内に挿入されるとき、及び／又は、スイッチ３６５が開放状態にあるとき、例えば、作業用照明１５０を選択的に活性化し得る。
【００２３】
よって、本発明は、とりわけ、取り外し可能なクランプと、取り外し可能なクランプが使用されないときに、取り外し可能なクランプを収容するための収容領域とを含むクランプメータを提供する。本発明の様々な機能及び利点を以下の請求項に示す。
【符号の説明】
【００２４】
１００  クランプメータ
１０５  上方ハウジング部分（主ハウジング部分）
１１０  下方ハウジング部分（ハンドル部分）
１１５  取り外し可能なクランプ
１２０  ディスプレイ
１２５  第一ボタン
１３０  第二ボタン
１３５  第三ボタン
１４０  第一電気接続部
１４５  第二電気接続部
１５０  作業用照明
１５５  裏蓋
１６０  凹部（収容領域）
１６５  作業用照明ボタン
１７０  ハンドル端部
１７５  測定端部
１８０  第一ハンドル
１８５  第二ハンドル
１９０  第一測定端部
１９５  第二測定端部
２００  測定凹部
２０５  コード
２１０  第一凹部
２１５  第二凹部
２２０  突起
２２５  ストラップ
２３０  第一保持部材
２３５  第二保持部材
３００  コントローラ
３０５  ユーザーインターフェースモジュール
３１０  ディスプレイ
３１５  電源モジュール
３２０  クランプ
３２５  処理装置
３３０  メモリ
３３５  入力装置
３４０  出力装置
３４５  制御装置
３５０  算術論理演算装置（ＡＬＵ）
３５５  レジスタ
３６０  共通バス
３６５  スイッチ
【図１】
0005511762.tif 000002
【図２】
0005511762.tif 000003
【図３】
0005511762.tif 000004
【図４】
0005511762.tif 000005
【図５】
0005511762.tif 000006
【図６】
0005511762.tif 000007
【図７】
0005511762.tif 000008
【図８】
0005511762.tif 000009
【図９】
0005511762.tif 000010
【図１０】
0005511762.tif 000011
【図１１】
0005511762.tif 000012
【図１２】
0005511762.tif 000013
【図１３】
0005511762.tif 000014
【図１４】
0005511762.tif 000015
【図１５】
0005511762.tif 000016
【図１６】
0005511762.tif 000017
【図１７】
0005511762.tif 000018
【図１８】
0005511762.tif 000019